(57)【要約】【課題】記録中に記録している画像に影響を与えることなくズームした時に被写体がどの程度の大きさになるかを画像として確認できることを目的とする。【解決手段】記録中の画像データに電子ズーム処理を行う別経路を設け、電子ズーム処理にて擬似的にＷＩＤＥ（広角）端、ＴＥＬＥ（望遠）端、または所望の倍率のズーム画像を作成し、表示させることで記録画像の影響を与えることなくズームした時に被写体がどの程度の大きさになるか確認することを可能とする。【選択図】図１
2005210579.tif 000002
【特許請求の範囲】
【請求項１】
第１のズームレンズと、前記第１のズームレンズから出力される光学信号を電気信号に変換し必要な画像データを作成する第１の撮像手段と、前記第１の撮像手段の出力画像データに対して電気的に拡大縮小処理を行う第１の電子ズーム処理手段と、前記第１のズームレンズのズーム倍率を変えるためのレンズ移動を行う第１のレンズ駆動手段と、前記第１の撮像手段の出力を表示するための処理を行う第１の表示処理手段と、前記第１の電子ズーム処理手段の出力を表示するための処理を行う第２の表示処理手段と、前記第１の表示処理手段と前記第２の表示処理手段から出力される表示画像データを合成する第１の表示合成手段と、前記第１の表示合成手段の出力を表示する第１の画像表示手段と、ズーム操作を行うための第１のズーム操作入力手段と、通常のズーム処理とズームした時に被写体がどの程度の大きさになるかを確認する処理を切り替える第１の切り替え手段と、前記第１の切り替え手段の出力及び前記第１のズーム操作入力手段の出力に応じて前記第１のレンズ駆動手段及び前記第１の電子ズーム処理手段の制御を行う第１の制御手段とを具備し、前記第１のズームレンズの光学的な倍率を変えることなく所望の任意のズーム倍率で被写体がどの程度の大きさになるかを確認できることを特徴とする光学ズーム機能を備えたカメラシステム。
【請求項２】
前記第１の制御手段に任意のズーム倍率を設定できる第１のズーム倍率設定手段を具備し、前記第１のズーム倍率設定手段の設定に応じて前記第１の電子ズーム処理手段の倍率制御を行い、所望の任意のズーム倍率で被写体がどの程度の大きさになるか確認できることを特徴とする請求項１に記載のカメラシステム。
【請求項３】
現在の光学ズーム倍率または光学ズーム倍率に相当する情報を算出する第１の光学ズーム倍率算出手段とズームした時に被写体がどの程度の大きさになるかを確認するために前記第１のズームレンズと前記第１の電子ズーム処理手段で実現しているズーム倍率に関する情報を記憶させておく第１のズーム倍率記憶手段と前記第１のズーム倍率記憶手段に対して記憶を行なわせるための第１の記憶実行手段とを具備することを特徴とする請求項１または２に記載のカメラシステム。
【請求項４】
ズームした時に被写体がどの程度の大きさになるかを確認するために前記第１のズーム操作入力手段または前記第１のズーム倍率設定手段より設定された前記第１の電子ズーム処理手段の電子ズーム倍率または電子ズーム倍率に相当する情報と前記第１の光学ズーム倍率算出手段で算出される光学ズーム倍率または光学ズーム倍率に相当する情報を前記第１のズーム倍率記憶手段に記憶することを特徴とする請求項３に記載のカメラシステム。
【請求項５】
ズームした時に被写体がどの程度の大きさになるかを確認するために前記第１のズーム操作入力手段または前記第１のズーム倍率設定手段より設定された前記第１の電子ズーム処理手段の電子ズーム倍率と前記第１の光学ズーム倍率算出手段で算出される光学ズーム倍率を総合したズーム倍率または総合したズーム倍率に相当する情報を前記第１のズーム倍率記憶手段に記憶することを特徴とする請求項３に記載のカメラシステム。
【請求項６】
ズーム動作中に前記ズーム倍率算出手段Ｉで算出される光学ズーム倍率または光学ズーム倍率に相当する情報と前記第１のズーム倍率記憶手段に記憶されているズーム倍率に関する情報を比較し、倍率の大小関係に対応した信号を出力する第１の比較手段とを具備し、前記第１の比較手段の出力に対応してズーム動作を停止することを特徴とする請求項４または５に記載のカメラシステム。
【請求項７】
記録中において前記第１の比較手段の出力で前記第１のズーム倍率記憶手段に記憶されているズーム倍率に達した時にズーム動作を停止することを特徴とする請求項６に記載のカメラシステム。
【請求項８】
レンズと、前記レンズから出力される光学信号を電気信号に変換し必要な画像データを作成する第２の撮像手段と、前記第２の撮像手段の出力画像データに対して電気的に拡大縮小処理を行い記録画像にズーム効果を与える第２の電子ズーム処理手段と、前記第２の電子ズーム処理手段の出力画像データに対して電気的に拡大縮小処理を行う第３の電子ズーム処理手段と、前記第２の電子ズーム処理手段の出力を表示するための処理を行う第３の表示処理手段と、前記第３の電子ズーム処理手段の出力を表示するための処理を行う第４の表示処理手段と、前記第３の表示処理手段と前記第４の表示処理手段から出力される表示画像データを合成する第２の表示合成手段と、前記第２の表示合成手段の出力を表示する第２の画像表示手段と、ズーム操作を行うための第２のズーム操作入力手段と通常のズーム処理とズームした時に被写体がどの程度の大きさになるかを確認する処理を切り替える第２の切り替え手段と、前記第２の切り替え手段の出力と前記第２のズーム操作入力手段の出力に応じて前記第２の電子ズーム処理手段及び前記第３の電子ズーム処理手段の制御を行う第２の制御手段とを具備し、記録画像に対する前記第２の電子ズーム処理手段の電子ズーム倍率を変えることなく所望の任意のズーム倍率で被写体がどの程度の大きさになるかを確認できることを特徴とする電子ズーム機能を備えたカメラシステム。
【請求項９】
前記第２の制御手段に任意のズーム倍率を設定できる第２のズーム倍率設定手段を具備し、前記第２のズーム倍率設定手段の設定に応じて前記第３の電子ズーム処理手段の倍率制御を行い、所望の任意のズーム倍率で被写体がどの程度の大きさになるか確認できることを特徴とする請求項８に記載のカメラシステム。
【請求項１０】
ズームした時に被写体がどの程度の大きさになるかを確認するために前記第２の電子ズーム処理手段と前記第３の電子ズーム処理手段で実現しているズーム倍率に関する情報を記憶させておく第２のズーム倍率記憶手段と前記第２のズーム倍率記憶手段に対して記憶を行なわせるための第２の記憶実行手段とを具備することを特徴とする請求項８または９に記載のカメラシステム。
【請求項１１】
ズームした時に被写体がどの程度の大きさになるかを確認するために前記第２のズーム操作入力手段または前記第２のズーム倍率設定手段より設定された前記第３の電子ズーム処理手段の電子ズーム倍率または電子ズーム倍率に相当する情報と前記第２の電子ズーム処理手段の電子ズーム倍率または電子ズーム倍率に相当する情報を前記第２のズーム倍率記憶手段に記憶することを特徴とする請求項１０に記載のカメラシステム。
【請求項１２】
ズームした時に被写体がどの程度の大きさになるかを確認するために前記第２のズーム操作入力手段または前記第２のズーム倍率設定手段より設定された前記第３の電子ズーム処理手段の電子ズーム倍率と前記第２の電子ズーム処理手段の電子ズーム倍率を総合したズーム倍率または総合したズーム倍率に相当する情報を前記第２のズーム倍率記憶手段に記憶することを特徴とする請求項１０に記載のカメラシステム。
【請求項１３】
ズーム動作中に前記第２の電子ズーム処理手段の電子ズーム倍率または電子ズーム倍率に相当する情報と前記第２のズーム倍率記憶手段に記憶されているズーム倍率に関する情報を比較し、倍率の大小関係に対応した信号を出力する第２の比較手段とを具備し、前記第２の比較手段の出力に対応してズーム動作を停止することを特徴とする請求項１１または１２に記載のカメラシステム。
【請求項１４】
記録中において前記第２の比較手段の出力で前記第２のズーム倍率記憶手段に記憶されているズーム倍率に達した時にズーム動作を停止することを特徴とする請求項１３に記載のカメラシステム。
【請求項１５】
第２のズームレンズと、前記第２のズームレンズから出力される光学信号を電気信号に変換し必要な画像データを作成する第３の撮像手段と、前記第３の撮像手段の出力画像データに対して電気的に拡大縮小処理を行い記録画像にズーム効果を与える第４の電子ズーム処理手段と、前記第４の電子ズーム処理手段の出力画像データに対して電気的に拡大縮小処理を行う第５の電子ズーム処理手段と、前記第２のズームレンズのズーム倍率を変えるためのレンズ移動を行う第２のレンズ駆動手段と、前記第４の電子ズーム処理手段の出力を表示するための処理を行う第５の表示処理手段と、前記第５の電子ズーム処理手段の出力を表示するための処理を行う第６の表示処理手段と、前記第５の表示処理手段と前記第６の表示処理手段から出力される表示画像データを合成する第３の表示合成手段と、前記第３の表示合成手段の出力を表示する第３の画像表示手段とズーム操作を行うための第３のズーム操作入力手段と、通常のズーム処理とズームした時に被写体がどの程度の大きさになるかを確認する処理を切り替える第３の切り替え手段と、前記第３の切り替え手段の出力と前記第３のズーム操作入力手段の出力に応じて前記第２のレンズ駆動手段及び前記第４の電子ズーム処理手段及び前記第５の電子ズーム処理手段の制御を行う第３の制御手段とを具備し、記録画像に影響を与えることなく所望の任意のズーム倍率で被写体がどの程度の大きさになるかを確認できることを特徴とする光学ズーム及び電子ズーム機能を備えたカメラシステム。
【請求項１６】
前記第３の制御手段に任意のズーム倍率を設定できる第３のズーム倍率設定手段を具備し、前記第３のズーム倍率設定手段の設定に応じて前記第５の電子ズーム処理手段の倍率制御を行い、所望の任意のズーム倍率で被写体がどの程度の大きさになるか確認できることを特徴とする請求項１５に記載のカメラシステム。
【請求項１７】
現在の光学ズーム倍率または光学ズーム倍率に相当する情報を算出する第２の光学ズーム倍率算出手段とズームした時に被写体がどの程度の大きさになるかを確認するために前記第１のズームレンズと前記第４の電子ズーム処理手段と前記第５の電子ズーム処理手段で実現しているズーム倍率に関する情報を記憶させておく第３のズーム倍率記憶手段と前記第３のズーム倍率記憶手段に対して記憶を行なわせるための第３の記憶実行手段とを具備することを特徴とする請求項１５または１６に記載のカメラシステム。
【請求項１８】
ズームした時に被写体がどの程度の大きさになるかを確認するために前記第３のズーム操作入力手段または前記第３のズーム倍率設定手段より設定された前記第５の電子ズーム処理手段の電子ズーム倍率または電子ズーム倍率に相当する情報と前記第２の光学ズーム倍率算出手段で算出される光学ズーム倍率または光学ズーム倍率に相当する情報と前記第４の電子ズーム処理手段の電子ズーム倍率または電子ズーム倍率に相当する情報を前記第３のズーム倍率記憶手段に記憶することを特徴とする請求項１７に記載のカメラシステム。
【請求項１９】
ズームした時に被写体がどの程度の大きさになるかを確認するために前記第３のズーム操作入力手段または前記第３のズーム倍率設定手段より設定された前記第５の電子ズーム処理手段の電子ズーム倍率と前記第２の光学ズーム倍率算出手段で算出される光学ズーム倍率と前記第４の電子ズーム処理手段の電子ズーム倍率を総合したズーム倍率または総合したズーム倍率に相当する情報を前記第３のズーム倍率記憶手段に記憶することを特徴とする請求項１７に記載のカメラシステム。
【請求項２０】
ズーム動作中に前記ズーム倍率算出手段ＩＩで算出される光学ズーム倍率と前記第４の電子ズーム処理手段の電子ズーム倍率を総合したズーム倍率または総合したズーム倍率に相当する情報と前記第３のズーム倍率記憶手段に記憶されているズーム倍率に関する情報を比較し、倍率の大小関係に対応した信号を出力する第３の比較手段とを具備し、前記第３の比較手段の出力に対応してズーム動作を停止することを特徴とする請求項１８または１９に記載のカメラシステム。
【請求項２１】
記録中において前記第３の比較手段の出力で前記第３のズーム倍率記憶手段に記憶されているズーム倍率に達した時にズーム動作を停止することを特徴とする請求項２０に記載のカメラシステム。
【請求項２２】
記録中においても所望の任意のズーム倍率で被写体がどの程度の大きさになるか確認できることを特徴とする請求項１または２または４または５または８または９または１１または１２または１５または１６または１８または１９に記載のカメラシステム。
【発明の詳細な説明】
【技術分野】
【０００１】
本発明は実際に記録中の画像に影響を与えることなく、記録画像に別経路で電子ズーム処理を行った画像を表示することでズームした時に被写体がどの程度の大きさになるかを容易に確認することのできるカメラシステムに関するものである。
【背景技術】
【０００２】
従来のカメラシステムではズームした時に現在の被写体がどの程度の大きさになるか知るために、最も容易な手段は実際にズーム動作させることである。また別の手段として、特許文献１にはズームによる画角確認を行うためにプレビュー手段を設けプレビュー時は画角を強制的にワイド端に移動させ、その画像にズーム操作による画角イメージを枠表示等で表現するものが提案されている。
【特許文献１】特開平８−１８８３３号公報
【発明の開示】
【発明が解決しようとする課題】
【０００３】
しかしながら、従来の技術では記録中ズームした時に被写体がどの程度の大きさになるか確認しようとすると撮影者が実際にズーム操作を行うか、もしくは確認の準備として実際にズーム位置の移動が伴い、意図しないズーム移動が記録されてしまうことになる。
【課題を解決するための手段】
【０００４】
上記課題を解決するために本発明の請求項１の光学ズーム機能を備えたカメラシステムは第１のズームレンズと前記第１のズームレンズから出力される光学信号を電気信号に変換し必要な画像データを作成する第１の撮像手段と前記第１の撮像手段の出力画像データに対して電気的に拡大縮小処理を行う第１の電子ズーム処理手段と前記第１のズームレンズのズーム倍率を変えるためのレンズ移動を行う第１のレンズ駆動手段と前記第１の撮像手段の出力を表示するための処理を行う第１の表示処理手段と前記第１の電子ズーム処理手段の出力を表示するための処理を行う第２の表示処理手段と前記第１の表示処理手段と前記第２の表示処理手段から出力される表示画像データを合成する第１の表示合成手段と前記第１の表示合成手段の出力を表示する第１の画像表示手段とズーム操作を行うための第１のズーム操作入力手段と通常のズーム処理とズームした時に被写体がどの程度の大きさになるかを確認する処理を切り替える第１の切り替え手段と前記第１の切り替え手段の出力及び前記第１のズーム操作入力手段の出力に応じて前記第１のレンズ駆動手段及び前記第１の電子ズーム処理手段の制御を行う第１の制御手段とを具備し、前記第１のズームレンズの光学的な倍率を変えることなく所望の任意のズーム倍率で被写体がどの程度の大きさになるかを確認できることを特徴とするものである。
【０００５】
また、本発明の請求項２のカメラシステムでは請求項１のカメラシステムに加えて前記第１の制御手段に任意のズーム倍率を設定できる第１のズーム倍率設定手段を具備し、前記第１のズーム倍率設定手段の設定に応じて前記第１の電子ズーム処理手段の倍率制御を行い、所望の任意のズーム倍率で被写体がどの程度の大きさになるか確認できることを特徴とするものである。
【０００６】
また、本発明の請求項３のカメラシステムは請求項１または２のカメラシステムに加えて現在の光学ズーム倍率または光学ズーム倍率に相当する情報を算出する第１の光学ズーム倍率算出手段とズームした時に被写体がどの程度の大きさになるかを確認するために前記第１のズームレンズと前記第１の電子ズーム処理手段で実現しているズーム倍率に関する情報を記憶させておく第１のズーム倍率記憶手段と前記第１のズーム倍率記憶手段に対して記憶を行なわせるための第１の記憶実行手段とを具備することを特徴とするものである。
【０００７】
また、本発明の請求項４のカメラシステムは請求項３のカメラシステムに加えてズームした時に被写体がどの程度の大きさになるかを確認するために前記第１のズーム操作入力手段または前記第１のズーム倍率設定手段より設定された前記第１の電子ズーム処理手段の電子ズーム倍率または電子ズーム倍率に相当する情報と前記第１の光学ズーム倍率算出手段で算出される光学ズーム倍率または光学ズーム倍率に相当する情報を前記第１のズーム倍率記憶手段に記憶することを特徴とするものである。
【０００８】
また、本発明の請求項５のカメラシステムは請求項３のカメラシステムに加えてズームした時に被写体がどの程度の大きさになるかを確認するために前記第１のズーム操作入力手段または前記第１のズーム倍率設定手段より設定された前記第１の電子ズーム処理手段の電子ズーム倍率と前記第１の光学ズーム倍率算出手段で算出される光学ズーム倍率を総合したズーム倍率または総合したズーム倍率に相当する情報を前記第１のズーム倍率記憶手段に記憶することを特徴とするものである。
【０００９】
また、本発明の請求項６のカメラシステムは請求項４または５のカメラシステムに加えてズーム動作中に前記ズーム倍率算出手段Ｉで算出される光学ズーム倍率または光学ズーム倍率に相当する情報と前記第１のズーム倍率記憶手段に記憶されているズーム倍率に関する情報を比較し、倍率の大小関係に対応した信号を出力する第１の比較手段とを具備し、前記第１の比較手段の出力に対応してズーム動作を停止することを特徴とするものである。
【００１０】
また、本発明の請求項７のカメラシステムは請求項６のカメラシステムに加えて記録中において前記第１の比較手段の出力で前記第１のズーム倍率記憶手段に記憶されているズーム倍率に達した時にズーム動作を停止することを特徴とするものである。
【００１１】
また、本発明の請求項８の電子ズーム機能を備えたカメラシステムはレンズと前記レンズから出力される光学信号を電気信号に変換し必要な画像データを作成する第２の撮像手段と前記第２の撮像手段の出力画像データに対して電気的に拡大縮小処理を行い記録画像にズーム効果を与える第２の電子ズーム処理手段と前記第２の電子ズーム処理手段の出力画像データに対して電気的に拡大縮小処理を行う第３の電子ズーム処理手段と前記第２の電子ズーム処理手段の出力を表示するための処理を行う第３の表示処理手段と前記第３の電子ズーム処理手段の出力を表示するための処理を行う第４の表示処理手段と前記第３の表示処理手段と前記第４の表示処理手段から出力される表示画像データを合成する第２の表示合成手段と前記第２の表示合成手段の出力を表示する第２の画像表示手段とズーム操作を行うための第２のズーム操作入力手段と通常のズーム処理とズームした時に被写体がどの程度の大きさになるかを確認する処理を切り替える第２の切り替え手段と前記第２の切り替え手段の出力と前記第２のズーム操作入力手段の出力に応じて前記第２の電子ズーム処理手段及び前記第３の電子ズーム処理手段の制御を行う第２の制御手段とを具備し、記録画像に対する前記第２の電子ズーム処理手段の電子ズーム倍率を変えることなく所望の任意のズーム倍率で被写体がどの程度の大きさになるかを確認できることを特徴とするものである。
【００１２】
また、本発明の請求項９のカメラシステムは請求項８のカメラシステムに加えて前記第２の制御手段に任意のズーム倍率を設定できる第２のズーム倍率設定手段を具備し、前記第２のズーム倍率設定手段の設定に応じて前記第３の電子ズーム処理手段の倍率制御を行い、所望の任意のズーム倍率で被写体がどの程度の大きさになるか確認できることを特徴とするものである。
【００１３】
また、本発明の請求項１０のカメラシステムは請求項８または９のカメラシステムに加えてズームした時に被写体がどの程度の大きさになるかを確認するために前記第２の電子ズーム処理手段と前記第３の電子ズーム処理手段で実現しているズーム倍率に関する情報を記憶させておく第２のズーム倍率記憶手段と前記第２のズーム倍率記憶手段に対して記憶を行なわせるための第２の記憶実行手段とを具備することを特徴とするものである。
【００１４】
また、本発明の請求項１１のカメラシステムは請求項１０のカメラシステムに加えてズームした時に被写体がどの程度の大きさになるかを確認するために前記第２のズーム操作入力手段または前記第２のズーム倍率設定手段より設定された前記第３の電子ズーム処理手段の電子ズーム倍率または電子ズーム倍率に相当する情報と前記第２の電子ズーム処理手段の電子ズーム倍率または電子ズーム倍率に相当する情報を前記第２のズーム倍率記憶手段に記憶することを特徴とするものである。
【００１５】
また、本発明の請求項１２のカメラシステムは請求項１０のカメラシステムに加えてズームした時に被写体がどの程度の大きさになるかを確認するために前記第２のズーム操作入力手段または前記第２のズーム倍率設定手段より設定された前記第３の電子ズーム処理手段の電子ズーム倍率と前記第２の電子ズーム処理手段の電子ズーム倍率を総合したズーム倍率または総合したズーム倍率に相当する情報を前記第２のズーム倍率記憶手段に記憶することを特徴とするものである。
【００１６】
また、本発明の請求項１３のカメラシステムは請求項１１または１２のカメラシステムに加えてズーム動作中に前記第２の電子ズーム処理手段の電子ズーム倍率または電子ズーム倍率に相当する情報と前記第２のズーム倍率記憶手段に記憶されているズーム倍率に関する情報を比較し、倍率の大小関係に対応した信号を出力する第２の比較手段とを具備し、前記第２の比較手段の出力に対応してズーム動作を停止することを特徴とするものである。
【００１７】
また、本発明の請求項１４のカメラシステムは請求項１３のカメラシステムに加えて記録中において前記第２の比較手段の出力で前記第２のズーム倍率記憶手段に記憶されているズーム倍率に達した時にズーム動作を停止することを特徴とするものである。
【００１８】
また、本発明の請求項１５の光学ズーム及び電子ズーム機能を備えたカメラシステムは第２のズームレンズと前記第２のズームレンズから出力される光学信号を電気信号に変換し必要な画像データを作成する第３の撮像手段と前記第３の撮像手段の出力画像データに対して電気的に拡大縮小処理を行い記録画像にズーム効果を与える第４の電子ズーム処理手段と前記第４の電子ズーム処理手段の出力画像データに対して電気的に拡大縮小処理を行う第５の電子ズーム処理手段と前記第２のズームレンズのズーム倍率を変えるためのレンズ移動を行う第２のレンズ駆動手段と前記第４の電子ズーム処理手段の出力を表示するための処理を行う第５の表示処理手段と前記第５の電子ズーム処理手段の出力を表示するための処理を行う第６の表示処理手段と前記第５の表示処理手段と前記第６の表示処理手段から出力される表示画像データを合成する第３の表示合成手段と前記第３の表示合成手段の出力を表示する第３の画像表示手段とズーム操作を行うための第３のズーム操作入力手段と通常のズーム処理とズームした時に被写体がどの程度の大きさになるかを確認する処理を切り替える第３の切り替え手段と前記第３の切り替え手段の出力と前記第３のズーム操作入力手段の出力に応じて前記第２のレンズ駆動手段及び前記第４の電子ズーム処理手段及び前記第５の電子ズーム処理手段の制御を行う第３の制御手段とを具備し、記録画像に影響を与えることなく所望の任意のズーム倍率で被写体がどの程度の大きさになるかを確認できることを特徴とするものである。
【００１９】
また、本発明の請求項１６のカメラシステムは請求項１５のカメラシステムに加えて前記第３の制御手段に任意のズーム倍率を設定できる第３のズーム倍率設定手段を具備し、前記第３のズーム倍率設定手段の設定に応じて前記第５の電子ズーム処理手段の倍率制御を行い、所望の任意のズーム倍率で被写体がどの程度の大きさになるか確認できることを特徴とするものである。
【００２０】
また、本発明の請求項１７のカメラシステムは請求項１５または１６のカメラシステムに加えて現在の光学ズーム倍率または光学ズーム倍率に相当する情報を算出する第２の光学ズーム倍率算出手段とズームした時に被写体がどの程度の大きさになるかを確認するために前記第１のズームレンズと前記第４の電子ズーム処理手段と前記第５の電子ズーム処理手段で実現しているズーム倍率に関する情報を記憶させておく第３のズーム倍率記憶手段と前記第３のズーム倍率記憶手段に対して記憶を行なわせるための第３の記憶実行手段とを具備することを特徴とするものである。
【００２１】
また、本発明の請求項１８のカメラシステムは請求項１７のカメラシステムにズームした時に被写体がどの程度の大きさになるかを確認するために前記第３のズーム操作入力手段または前記第３のズーム倍率設定手段より設定された前記第５の電子ズーム処理手段の電子ズーム倍率または電子ズーム倍率に相当する情報と前記第２の光学ズーム倍率算出手段で算出される光学ズーム倍率または光学ズーム倍率に相当する情報と前記第４の電子ズーム処理手段の電子ズーム倍率または電子ズーム倍率に相当する情報を前記第３のズーム倍率記憶手段に記憶することを加えて特徴とするものである。
【００２２】
また、本発明の請求項１９のカメラシステムは請求項１７のカメラシステムに加えてズームした時に被写体がどの程度の大きさになるかを確認するために前記第３のズーム操作入力手段または前記第３のズーム倍率設定手段より設定された前記第５の電子ズーム処理手段の電子ズーム倍率と前記第２の光学ズーム倍率算出手段で算出される光学ズーム倍率と前記第４の電子ズーム処理手段の電子ズーム倍率を総合したズーム倍率または総合したズーム倍率に相当する情報を前記第３のズーム倍率記憶手段に記憶することを特徴とするものである。
【００２３】
また、本発明の請求項２０のカメラシステムは請求項１８または１９のカメラシステムに加えてズーム動作中に前記ズーム倍率算出手段ＩＩで算出される光学ズーム倍率と前記第４の電子ズーム処理手段の電子ズーム倍率を総合したズーム倍率または総合したズーム倍率に相当する情報と前記第３のズーム倍率記憶手段に記憶されているズーム倍率に関する情報を比較し、倍率の大小関係に対応した信号を出力する第３の比較手段とを具備し、前記第３の比較手段の出力に対応してズーム動作を停止することを特徴とするものである。
【００２４】
また、本発明の請求項２１のカメラシステムは請求項２０のカメラシステムに加えて記録中において前記第３の比較手段の出力で前記第３のズーム倍率記憶手段に記憶されているズーム倍率に達した時にズーム動作を停止することを特徴とするものである。
【００２５】
また、本発明の請求項２２のカメラシステムは請求項１または２または４または５または８または９または１１または１２または１５または１６または１８または１９のカメラシステムに加えて記録中においても所望の任意のズーム倍率で被写体がどの程度の大きさになるか確認できることを特徴とするものである。
【発明の効果】
【００２６】
本発明のカメラシステムはズーム倍率を電子ズームで擬似的に実現することで記録画像に影響を与えることなく、ズームした時に被写体がどの程度の大きさになるかを確認することができる。また所望のズーム倍率を記憶させておき、それを目標とすることで容易に所望のズーム倍率への移行が可能となる。
【発明を実施するための最良の形態】
【００２７】
図１は本発明の請求項１、２、６の実施例を説明するための画像記録装置のブロック図である。１０１は第１のズームレンズ、１０２は第１のズームレンズ１０１からの光学信号を電気信号に変換して画像データを作成する第１の撮像手段、１０３は第１の撮像手段１０２の出力画像データを電気的に拡大・縮小する第１の電子ズーム処理手段、１０４は第１の撮像手段１０２から出力される画像データを表示用に処理する第１の表示処理手段、１０５は第１の電子ズーム処理手段１０３から出力される画像データを表示用に処理する第２の表示処理手段、１０６は第１の表示処理手段１０４と第２の表示処理手段１０５から出力される表示用画像を合成する第１の表示合成手段、１０７は第１の表示合成手段１０６の出力を表示する第１の画像表示手段、１０８は第１のズームレンズ１０１のズーム倍率を変えるためにレンズ移動を行う第１のレンズ駆動手段、１０９はズーム操作を行う第１のズーム操作入力手段、１１０は通常のズーム処理とズームした時に被写体がどの程度の大きさになるかを確認する処理の切り替えを行う第１の切り替え手段、１１１は任意のズーム倍率設定ができる第１のズーム倍率設定手段、１１２は第１の切り替え手段１１０の入力に応じた処理の切り替え・第１のズーム操作入力手段１０９または第１のズーム倍率設定手段１１１の入力に応じた第１のレンズ駆動手段１０８の制御及び第１の電子ズーム処理手段１０３の倍率制御・第１のズームレンズ１０１及び第１の電子ズーム処理手段１０３のズーム倍率の記憶制御を行う第１の制御手段、１１３はズームした時に被写体がどの程度の大きさになるかを確認する処理の時の第１のズームレンズ１０１の光学ズーム倍率及び第１の電子ズーム処理手段１０３の電子ズーム倍率を記憶するためのズーム倍率記憶手段、１１４は第１の制御手段１１２に対してズーム倍率情報の記憶を実行させる第１の記憶実行手段、１１５は第１のズームレンズ１０１の現在の光学ズーム倍率を算出する第１の光学ズーム倍率算出手段、１１６は第１のズーム倍率記憶手段１１３に記憶されている倍率と第１の光学ズーム倍率算出手段から出力される倍率の大小関係を比較して倍率の大小関係に応じた出力を行う第１の比較手段である。
【００２８】
図２は本発明の請求項８、９、１３の実施例を説明するための画像記録装置のブロック図である。２０１はレンズ、２０２はレンズ２０１からの光学信号を電気信号に変換して画像データを作成する第２の撮像手段、２０３は第２の撮像手段２０２の出力画像データを電気的に拡大・縮小する第２の電子ズーム処理手段、２０４は第２の電子ズーム処理手段２０３の出力画像データを電気的に拡大・縮小する第３の電子ズーム処理手段、２０５は第２の電子ズーム処理手段２０３から出力される画像データを表示用に処理する第３の表示処理手段、２０６は第３の電子ズーム処理手段２０４から出力される画像データを表示用に処理する第４の表示処理手段、２０７は第３の表示処理手段２０５と第４の表示処理手段２０６から出力される表示用画像を合成する第２の表示合成手段、２０８は第２の表示合成手段２０７の出力を表示する第２の画像表示手段、２０９はズーム操作を行う第２のズーム操作入力手段、２１０は通常のズーム処理とズームした時に被写体がどの程度の大きさになるかを確認する処理の切り替えを行う第２の切り替え手段、２１１は任意のズーム倍率設定ができる第２のズーム倍率設定手段、２１２は第２の切り替え手段２１０の入力に応じた処理の切り替え・第２のズーム操作入力手段２０９または第２のズーム倍率設定手段２１１の入力に応じた第２の電子ズーム処理手段２０３及び第３の電子ズーム処理手段２０４の倍率制御・第２の電子ズーム処理手段２０３及び第３の電子ズーム処理手段２０４の電子ズーム倍率の記憶制御を行う第２の制御手段、２１３はズームした時に被写体がどの程度の大きさになるかを確認する処理の時の第２の電子ズーム処理手段２０３及び第３の電子ズーム処理手段２０４の電子ズーム倍率を記憶するための第２のズーム倍率記憶手段、２１４は第２の制御手段２１２に対してズーム倍率情報の記憶を実行させる第２の記憶実行手段、２１５は第２のズーム倍率記憶手段２１３に記憶されている倍率と第２の電子ズーム処理手段２０３の電子ズーム倍率の大小関係を比較して倍率の大小関係に応じた出力を行う第２の比較手段である。
【００２９】
図３は本発明の請求項１５、１６、１９の実施例を説明するための画像記録装置のブロック図である。３０１は第２のズームレンズ、３０２は第２のズームレンズ３０１からの光学信号を電気信号に変換して画像データを作成する第３の撮像手段、３０３は第３の撮像手段３０２の出力画像データを電気的に拡大・縮小する第４の電子ズーム処理手段、３０４は第４の電子ズーム処理手段３０３の出力画像データを電気的に拡大・縮小する第５の電子ズーム処理手段、３０５は第４の電子ズーム処理手段３０３から出力される画像データを表示用に処理する第５の表示処理手段、３０６は第５の電子ズーム処理手段３０４から出力される画像データを表示用に処理する第６の表示処理手段、３０７は第５の表示処理手段３０５と第６の表示処理手段３０６から出力される表示用画像を合成する第３の表示合成手段、３０８は第３の表示合成手段３０７の出力を表示する第３の画像表示手段、３０９は第２のズームレンズ３０１のズーム倍率を変えるためにレンズ移動を行うレン駆動手段ＩＩ、３１０はズーム操作を行う第３のズーム操作入力手段、３１１は通常のズーム処理とズームした時に被写体がどの程度の大きさになるかを確認する処理の切り替えを行う第３の切り替え手段、３１２は任意のズーム倍率設定ができる第３のズーム倍率設定手段、３１３は第３の切り替え手段３１１の入力に応じた処理の切り替え・第３のズーム操作入力手段３１０または第３のズーム倍率設定手段３１２の入力に応じた第２のレンズ駆動手段３０９の制御及び第４の電子ズーム処理手段３０３及び第５の電子ズーム処理手段３０４の倍率制御・第２のズームレンズ３０１及び第４の電子ズーム処理手段３０３及び第５の電子ズーム処理手段３０４のズーム倍率の記憶制御を行う第３の制御手段、３１４はズームした時に被写体がどの程度の大きさになるかを確認する処理の時の第２のズームレンズ３０１の光学ズーム倍率及び第４の電子ズーム処理手段３０３の電子ズーム倍率及び第５の電子ズーム処理手段３０４の電子ズーム倍率を記憶するためのズーム倍率記憶手段、３１５は第３の制御手段３１３に対してズーム倍率情報の記憶を実行させる第３の記憶実行手段、３１６は第２のズームレンズ３０１の現在の光学ズーム倍率を算出する第２の光学ズーム倍率算出手段、３１７は第３のズーム倍率記憶手段３１４に記憶されている倍率と光学ズーム倍率算出手段ＩＩＩ３１６から出力される光学ズーム倍率及び第４の電子ズーム処理手段３０３の電子ズーム倍率を総合した倍率の大小関係を比較して倍率の大小関係に応じた出力を行う第３の比較手段である。
【実施例１】
【００３０】
次に、本発明の請求項１の実施形態について図面を参照しながら説明する。まず、請求項１の実施形態は図１の構成要素の中で１０１、１０２、１０３、１０４、１０５、１０６、１０７、１０８、１０９、１１０、１１２で構成される。
【００３１】
第１のズームレンズ１０１から入力された光学信号は第１の撮像手段１０２において電気信号に変換され、更に画像データへと処理される。通常の場合はこの画像を第１の表示処理手段１０４にて表示用に処理した後、第１の表示合成手段１０６を経て第１の画像表示手段１０７で表示する。
【００３２】
記録中に撮影者がズームした時に被写体がどの程度の大きさになるかを確認したい場合（仮称：ズームプレビュー機能）は、まず第１の切り替え手段１１０により通常のズーム処理からズームした時に被写体がどの程度の大きさになるかを確認する処理に切り替える。その状態で撮影者は第１のズーム操作入力手段１０９よりズーム操作を入力する。第１の制御手段１１２では第１のズーム操作入力手段１０９の入力に応じて第１の電子ズーム処理手段１０３の電子ズーム倍率制御を行い、第１の撮像手段１０２の出力に対して電子ズーム倍率のかかった画像データを作成する。作成されたズーム画像は第２の表示処理手段１０５において表示用に処理され、第１の表示合成手段１０６にて第１の表示処理手段１０４の出力と合成され、第１の画像表示手段１０７で表示される。このように擬似的にズーム画像を作成・表示することでズームした時に被写体がどの程度の大きさになるかを容易に確認できる。
【００３３】
図４は第１の表示合成手段１０６により合成された画像を第１の画像表示手段１０７に表示した例を示しており、４０１は記録中の映像信号を表示する表示エリア、４０３は記録中の被写体、４０２は表示エリア４０１にピクチャ・イン・ピクチャにて表示されたプレビュエリアで、プレビューエリア４０２にはズームプレビューした映像信号が表示される。この時、記録中の映像は何等影響されない。なお、プレビューエリア４０２の大きさや場所は、図示のものに限定されず、カスタマイズ可能にしてもよい。
【実施例２】
【００３４】
次に、本発明の請求項２の実施形態について図面を参照しながら説明する。請求項２の実施形態は図１の構成要素の中で１０１、１０２、１０３、１０４，１０５、１０６、１０７、１０８、１０９、１１０、１１１、１１２で構成される。
【００３５】
第１のズームレンズ１０１から入力された光学信号は第１の撮像手段１０２において電気信号に変換され、更に画像データへと処理される。通常の場合はこの画像を第１の表示処理手段１０４にて表示用に処理した後、第１の表示合成手段１０６を経て第１の画像表示手段１０７で表示する。
【００３６】
記録中に撮影者がズームした時に被写体がどの程度の大きさになるかを確認したい場合はまず第１の切り替え手段１１０により通常のズーム処理からズームした時に被写体がどの程度の大きさになるかを確認する処理に切り替える。その状態で撮影者は第１のズーム倍率設定手段１１１より所望のズーム倍率を設定する。第１の制御手段１１２では第１のズーム倍率設定手段１１１の設定に応じて第１の電子ズーム処理手段１０３の電子ズーム倍率制御を行い、第１の撮像手段１０２の出力に対して電子ズーム倍率のかかった画像データを作成する。作成されたズーム画像は第２の表示処理手段１０５において表示用に処理され、第１の表示合成手段１０６にて第１の表示処理手段１０４の出力と合成され第１の画像表示手段１０７で表示される。このように擬似的にズーム画像を作成・表示することでズームした時に被写体がどの程度の大きさになるかを容易に確認できる。
【実施例３】
【００３７】
次に、本発明の請求項６の実施形態について図面を参照しながら説明する。請求項６の実施形態は図１の構成要素の中で１０１、１０２、１０３、１０４、１０５、１０６、１０７、１０８、１０９、１１０、１１１、１１３、１１４、１１５、１１６で構成される。
【００３８】
第１のズームレンズ１０１から入力された光学信号は第１の撮像手段１０２において電気信号に変換され、更に画像データへと処理される。通常の場合はこの画像を第１の表示処理手段１０４にて表示用に処理した後、第１の表示合成手段１０６を経て第１の画像表示手段１０７で表示する。記録中に撮影者がズームした時に被写体がどの程度の大きさになるかを確認したい場合はまず第１の切り替え手段１１０により通常のズーム処理からズームした時に被写体がどの程度の大きさになるかを確認する処理に切り替える。その状態で撮影者は第１のズーム操作入力手段１０９よりズーム操作を入力する。第１の制御手段１１２では第１のズーム操作入力手段１０９の入力に応じて第１の電子ズーム処理手段１０３の電子ズーム倍率制御を行い、第１の撮像手段１０２の出力に対して電子ズーム倍率のかかった画像データを作成する。作成されたズーム画像は第２の表示処理手段１０５において表示用に処理され、第１の表示合成手段１０６にて第１の表示処理手段１０４の出力と合成され第１の画像表示手段１０７で表示される。
【００３９】
撮影者がそのズーム倍率を記憶させておきたい場合、第１の記憶実行手段１１４より記憶の実行を指示することで光学ズーム倍率及び第１の電子ズーム処理手段１０３の電子ズーム倍率を第１のズーム倍率記憶手段１１３に記憶させておく。撮影者が記憶させてあるズーム倍率にズームしたい場合、まず第１の切り替え手段１１０によりズームした時に被写体がどの程度の大きさになるかを確認する処理から通常のズーム処理に切り替え、その後第１のズーム操作入力手段１０９によりズーム操作を行う。ズーム中、光学ズーム倍率が第１の光学ズーム倍率算出手段１１５にて算出され、第１の比較手段１１６に入力される。第１の比較手段１１６では現在の光学ズーム倍率と第１のズーム倍率記憶手段１１３に記憶されているズーム倍率を比較しその大小関係に応じた情報を第１の制御手段１１２に対して出力する。第１の制御手段１１２では第１の比較手段１１６の情報よりズーム倍率が記憶されていた倍率になったらズームを停止する。このように制御することにより記憶させておいたズーム倍率に移動させることが容易に実現できる。
【実施例４】
【００４０】
次に、本発明の請求項８の実施形態について図面を参照しながら説明する。まず、請求項８の実施形態は図２の構成要素の中で２０１、２０２、２０３、２０４、２０５、２０６、２０７、２０８、２０９、２１０、２１２で構成される。
【００４１】
レンズ２０１から入力された光学信号は第２の撮像手段２０２において電気信号に変換後、画像データへと処理され、更に第２の電子ズーム処理手段２０３で電子ズーム処理される。通常の場合はこの画像を第３の表示処理手段２０５にて表示用に処理した後、第２の表示合成手段２０７を経て第２の画像表示手段２０８で表示する。記録中に撮影者がズームした時に被写体がどの程度の大きさになるかを確認したい場合はまず第２の切り替え手段２１０により通常のズーム処理からズームした時に被写体がどの程度の大きさになるかを確認する処理に切り替える。その状態で撮影者は第２のズーム操作入力手段２０９よりズーム操作を入力する。第２の制御手段２１２では第２のズーム操作入力手段２０９の入力に応じて第３の電子ズーム処理手段２０４の電子ズーム倍率制御を行い、第２の電子ズーム処理手段２０３の出力に対して電子ズーム倍率のかかった画像データを作成する。作成されたズーム画像は第４の表示処理手段２０６において表示用に処理され、第２の表示合成手段２０７にて第３の表示処理手段２０５の出力と合成され第２の画像表示手段２０８で表示される。このように擬似的にズーム画像を作成・表示することでズームした時に被写体がどの程度の大きさになるかを容易に確認できる。
【実施例５】
【００４２】
次に、本発明の請求項９の実施形態について図面を参照しながら説明する。請求項９の実施形態は図２の構成要素の中で２０１、２０２、２０３、２０４、２０５、２０６、２０７、２０８、２０９、２１０、２１１、２１２で構成される。
【００４３】
レンズ２０１から入力された光学信号は第２の撮像手段２０２において電気信号に変換後、画像データへと処理され、更に第２の電子ズーム処理手段２０３で電子ズーム処理される。通常の場合はこの画像を第３の表示処理手段２０５にて表示用に処理した後、第２の表示合成手段２０７を経て第２の画像表示手段２０８で表示する。記録中に撮影者がズームした時に被写体がどの程度の大きさになるかを確認したい場合はまず第２の切り替え手段２１０により通常のズーム処理からズームした時に被写体がどの程度の大きさになるかを確認する処理に切り替える。その状態で撮影者は第２のズーム倍率設定手段２１１より所望のズーム倍率を設定する。第２の制御手段２１２では第２のズーム倍率設定手段２１１の設定に応じて第３の電子ズーム処理手段２０４の電子ズーム倍率制御を行い、第２の電子ズーム処理手段２０３の出力に対して電子ズーム倍率のかかった画像データを作成する。作成されたズーム画像は第４の表示処理手段２０６において表示用に処理され、第２の表示合成手段２０７にて第３の表示処理手段２０５の出力と合成され第２の画像表示手段２０８で表示される。このように擬似的にズーム画像を作成・表示することでズームした時に被写体がどの程度の大きさになるかを容易に確認できる。
【実施例６】
【００４４】
次に、本発明の請求項１３の実施形態について図面を参照しながら説明する。請求項１３の実施形態は図２の構成要素の中で２０１、２０２、２０３、２０４、２０５、２０６、２０７、２０８、２０９、２１０、２１２、２１３、２１４、２１５で構成される。
【００４５】
レンズ２０１から入力された光学信号は第２の撮像手段２０２において電気信号に変換後、画像データへと処理され、更に第２の電子ズーム処理手段２０３で電子ズーム処理される。通常の場合はこの画像を第３の表示処理手段２０５にて表示用に処理した後、第２の表示合成手段２０７を経て第２の画像表示手段２０８で表示する。記録中に撮影者がズームした時に被写体がどの程度の大きさになるかを確認したい場合はまず第２の切り替え手段２１０により通常のズーム処理からズームした時に被写体がどの程度の大きさになるかを確認する処理に切り替える。その状態で撮影者は第２のズーム操作入力手段２０９よりズーム操作を入力する。第２の制御手段２１２では第２のズーム操作入力手段２０９の入力に応じて第３の電子ズーム処理手段２０４の電子ズーム倍率制御を行い、第２の電子ズーム処理手段２０３の出力に対して電子ズーム倍率のかかった画像データを作成する。作成されたズーム画像は第４の表示処理手段２０６において表示用に処理され、第２の表示合成手段２０７にて第３の表示処理手段２０５の出力と合成され第２の画像表示手段２０８で表示される。撮影者がそのズーム倍率を記憶させておきたい場合、第２の記憶実行手段２１４より記憶の実行を指示することで第２の電子ズーム処理手段２０３及び第３の電子ズーム処理手段２０４の電子ズーム倍率を第２のズーム倍率記憶手段２１３に記憶させておく。撮影者が記憶させてあるズーム倍率にズームしたい場合、まず第２の切り替え手段２１０によりズームした時に被写体がどの程度の大きさになるかを確認する処理から通常のズーム処理に切り替え、その後第２のズーム操作入力手段２０９によりズーム操作を行う。ズーム中、第２の電子ズーム処理手段２０３の電子ズーム倍率が第２の制御手段２１２から第２の比較手段２１５に入力される。第２の比較手段２１５では現在の電子ズーム倍率と第２のズーム倍率記憶手段２１３に記憶されているズーム倍率を比較しその大小関係に応じた情報を第２の制御手段２１２に対して出力する。第２の制御手段２１２では第２の比較手段２１５の情報よりズーム倍率が記憶されていた倍率になったらズームを停止する。このように制御することにより記憶させておいたズーム倍率に移動させることが容易に実現できる。
【実施例７】
【００４６】
次に、本発明の請求項１５の実施形態について図面を参照しながら説明する。請求項１５の実施形態は図３の構成要素の中で３０１、３０２、３０３、３０４、３０５、３０６、３０７、３０８、３０９、３１０、３１１、３１３で構成される。
【００４７】
第２のズームレンズ３０１から入力された光学信号は第３の撮像手段３０２において電気信号に変換後、画像データへと処理され、更に第４の電子ズーム処理手段３０３で電子ズーム処理される。通常の場合はこの画像を第５の表示処理手段３０５にて表示用に処理した後、第３の表示合成手段３０７を経て第３の画像表示手段３０８で表示する。記録中に撮影者がズームした時に被写体がどの程度の大きさになるかを確認したい場合はまず第３の切り替え手段３１１により通常のズーム処理からズームした時に被写体がどの程度の大きさになるかを確認する処理に切り替える。その状態で撮影者は第３のズーム操作入力手段３１０よりズーム操作を入力する。第３の制御手段３１３では第３のズーム操作入力手段３１０の入力に応じて第５の電子ズーム処理手段３０４の電子ズーム倍率制御を行い、第４の電子ズーム処理手段３０３の出力に対して電子ズーム倍率のかかった画像データを作成する。作成されたズーム画像は第６の表示処理手段３０６において表示用に処理され、第３の表示合成手段３０７にて第５の表示処理手段３０５の出力と合成され第３の画像表示手段３０８で表示される。このように擬似的にズーム画像を作成・表示することでズームした時に被写体がどの程度の大きさになるかを容易に確認できる。
【実施例８】
【００４８】
次に、本発明の請求項１６の実施形態について図面を参照しながら説明する。請求項１６の実施形態は図３の構成要素の中で３０１、３０２、３０３、３０４、３０５、３０６、３０７、３０８、３０９、３１０、３１１、３１２、３１３で構成される。
【００４９】
第２のズームレンズ３０１から入力された光学信号は第３の撮像手段３０２において電気信号に変換後、画像データへと処理され、更に第４の電子ズーム処理手段３０３で電子ズーム処理される。通常の場合はこの画像を第５の表示処理手段３０５にて表示用に処理した後、第３の表示合成手段３０７を経て第３の画像表示手段３０８で表示する。記録中に撮影者がズームした時に被写体がどの程度の大きさになるかを確認したい場合はまず第３の切り替え手段３１１により通常のズーム処理からズームした時に被写体がどの程度の大きさになるかを確認する処理に切り替える。その状態で撮影者は第３のズーム倍率設定手段３１２より所望のズーム倍率を設定する。第３の制御手段３１３では第３のズーム倍率設定手段３１２の設定に応じて第５の電子ズーム処理手段３０４の電子ズーム倍率制御を行い、第４の電子ズーム処理手段３０３の出力に対して電子ズーム倍率のかかった画像データを作成する。作成されたズーム画像は第６の表示処理手段３０６において表示用に処理され、第３の表示合成手段３０７にて第５の表示処理手段３０５の出力と合成され第３の画像表示手段３０８で表示される。このように擬似的にズーム画像を作成・表示することでズームした時に被写体がどの程度の大きさになるかを容易に確認できる。
【実施例９】
【００５０】
次に、本発明の請求項２０の実施形態について図面を参照しながら説明する。請求項２０の実施形態は図３の構成要素の中で３０１、３０２、３０３、３０４、３０５、３０６、３０７、３０８、３０９、３１０、３１１、３１３、３１４、３１５、３１６、３１７で構成される。
【００５１】
第２のズームレンズ３０１から入力された光学信号は第３の撮像手段３０２において電気信号に変換後、画像データへと処理され、更に第４の電子ズーム処理手段３０３で電子ズーム処理される。通常の場合はこの画像を第５の表示処理手段３０５に表示用に処理した後、第３の表示合成手段３０７を経て第３の画像表示手段３０８で表示する。記録中に撮影者がズームした時に被写体がどの程度の大きさになるかを確認したい場合はまず第３の切り替え手段３１１により通常のズーム処理からズームした時に被写体がどの程度の大きさになるかを確認する処理に切り替える。その状態で撮影者は第３のズーム操作入力手段３１０よりズーム操作を入力する。第３の制御手段３１３では第３のズーム操作入力手段３１０の入力に応じて第５の電子ズーム処理手段３０４の電子ズーム倍率制御を行い、第４の電子ズーム処理手段３０３の出力に対して電子ズーム倍率のかかった画像データを作成する。作成されたズーム画像は第６の表示処理手段３０６において表示用に処理され、第３の表示合成手段３０７にて第５の表示処理手段３０５の出力と合成され第３の画像表示手段３０８で表示される。撮影者がそのズーム倍率を記憶させておきたい場合、第３の記憶実行手段３１５より記憶の実行を指示することで光学ズーム倍率と第４の電子ズーム処理手段３０３及び第５の電子ズーム処理手段３０４の電子ズーム倍率を第３のズーム倍率記憶手段３１４に記憶させておく。撮影者が記憶させてあるズーム倍率にズームしたい場合、まず第３の切り替え手段３１１によりズームした時に被写体がどの程度の大きさになるかを確認する処理から通常のズーム処理に切り替え、その後第３のズーム操作入力手段３１０によりズーム操作を行う。ズーム中、光学ズーム倍率が第２の光学ズーム倍率算出手段３１６にて算出され、第３の比較手段３１７に入力されるとともに、第４の電子ズーム処理手段３０３の電子ズーム倍率が第３の制御手段３１３から第３の比較手段３１７に入力される。第３の比較手段３１７では現在の総合したズーム倍率と第３のズーム倍率記憶手段３１４に記憶されているズーム倍率を比較しその大小関係に応じた情報を第３の制御手段３１３に対して出力する。第３の制御手段３１３では第３の比較手段３１７の情報よりズーム倍率が記憶されていた倍率になったらズームを停止する。このように制御することにより記憶させておいたズーム倍率に移動させることが容易に実現できる。
【産業上の利用可能性】
【００５２】
本発明のカメラシステムは記録中に記録画像に影響を与えることなくズームした時に被写体がどの程度の大きさになるかを確認することが容易になると共に、確認したズーム倍率を記憶させてそのズーム倍率を目標としてズームすることで所望のズーム倍率への移動が容易になる点において有用である。
【図面の簡単な説明】
【００５３】
【図１】本発明の請求項１，２，８の実施例を説明するためのブロック図
【図２】本発明の請求項８，９，１４の実施例を説明するためのブロック図
【図３】本発明の請求項１５，１６，２１の実施例を説明するためのブロック図
【図４】本発明によるカメラシステムで表示した状態を示す模式図
【符号の説明】
【００５４】
１０１    第１のズームレンズ
１０２    第１の撮像手段
１０３    第１の電子ズーム処理手段
１０４    第１の表示処理手段
１０５    第２の表示処理手段
１０６    第１の表示合成手段
１０７    第１の画像表示手段
１０８    第１のレンズ駆動手段
１０９    第１のズーム操作入力手段
１１０    第１の切り替え手段
１１１    第１の制御手段
１１２    第１のズーム倍率設定手段
１１３    第１のズーム倍率記憶手段
１１４    第１の記憶実行手段
１１５    第１の光学ズーム倍率算出手段
１１６    第１の比較手段
２０１    レンズ
２０２    第２の撮像手段
２０３    第２の電子ズーム処理手段
２０４    第３の電子ズーム処理手段
２０５    第４の表示処理手段
２０６    第４の表示処理手段
２０７    第２の表示合成手段
２０８    第２の画像表示手段
２０９    第２のズーム操作入力手段
２１０    第２の切り替え手段
２１１    第２のズーム倍率設定手段
２１２    第２の制御手段
２１３    第２のズーム倍率記憶手段
２１４    第２の記憶実行手段
２１５    第２の比較手段
３０１    第２のズームレンズ
３０２    第３の撮像手段
３０３    第４の電子ズーム処理手段
３０４    第５の電子ズーム処理手段
３０５    第５の表示処理手段
３０６    第６の表示処理手段
３０７    第３の表示合成手段
３０８    第３の画像表示手段
３０９    第２のレンズ駆動手段
３１０    第１のズーム操作入力手段
３１１    第３の切り替え手段
３１２    第１のズーム倍率設定手段
３１３    第３の制御手段
３１４    第３のズーム倍率記憶手段
３１５    第３の記憶実行手段
３１６    第２の光学ズーム倍率算出手段
３１７    第３の比較手段
【図１】
2005210579.tif 000003
【図２】
2005210579.tif 000004
【図３】
2005210579.tif 000005
【図４】
2005210579.tif 000006